(57)【要約】【課題】浸入した海水を外部に排出できる使い勝手のよい災害時避難用シェルターを提供する。【解決手段】発泡スチロールで形成され、屋根部と、扉のある側壁部と、床部と、腰掛け部と、中央柱と、からなるシェルター本体と、ソーラーパネルにより充電可能なバッテリーと、バッテリーで駆動される赤色灯及び室内灯と、中央柱に取り付けられる手摺りと、床部を貫通し、外部に開口する排出孔と、腰掛け部の下に配列され、飲料水の入った複数のペットボトルと、が備えられ、浮遊時、床部の発泡スチロールの浮力により、シェルター本体の沈み込みの深さが床部の厚さを超えず、室内に入った海水が、自重により排出孔から外部に排出される。【選択図】図３
2018111327.tif 000002
【特許請求の範囲】
【請求項１】
発泡スチロールで形成され、屋根部と、扉のある側壁部と、床部と、腰掛け部と、中央柱と、からなるシェルター本体と、
ソーラーパネルにより充電可能なバッテリーと、
前記バッテリーで駆動される赤色灯及び室内灯と、
前記中央柱に取り付けられる手摺りと、
前記床部を貫通し、外側底部に開口する排出孔と、
前記腰掛け部の下に配列され、飲料水の入った複数のペットボトルと、
が備えられ、
浮遊時、前記床部の発泡スチロールの浮力により、シェルター本体の沈み込みの深さが前記床部の厚さを超えず、室内に入った海水が、自重により前記排出孔から外部に排出されることを特徴とする災害時避難用シェルター。
【請求項２】
前記シェルター本体の外部に、空気洗浄機またはコンプレッサーが設けられ、前記排出孔の一端から、洗浄された空気または圧縮空気が室内に送り込まれることを特徴とする請求項１に記載の災害時避難用シェルター。
【請求項３】
前記シェルター本体の周囲に、複数の浮き袋が設けられることを特徴とする請求項１に記載の災害時避難用シェルター。
【発明の詳細な説明】
【技術分野】
【０００１】
本発明は、災害時避難用シェルターに係り、より詳しくは、床部を貫通して外部に開口する排水孔を備えた浮遊型の災害時避難用シェルターに関する。
【背景技術】
【０００２】
特許文献１には、外側が鉄板からなり、内側壁が発泡スチロールの浮遊型シェルターが示される。底部には、安定して浮くよう重心調整板がある。特許文献２には、津波対応の防災用シェルターが示される。このシェルターは、卵型の中空構造で、底部には浮遊姿勢安定のための水タンク（バラスト）がある。しかしながら、例えば、外壁が損傷して内部に水が浸入するような場合、海水が溜まる一方で排除できず、シェルターが浮くとしても避難者が水浸しとなる。
【先行技術文献】
【特許文献】
【０００３】
【特許文献１】特開２０１４−６１７３７号公報
【特許文献２】特開２００４−３２２９３９号公報
【発明の概要】
【発明が解決しようとする課題】
【０００４】
本発明の目的は、浸入した海水を外部に排出できる使い勝手のよい災害時避難用シェルターを提供することにある。
【課題を解決するための手段】
【０００５】
本発明による災害時避難用シェルターは、発泡スチロールで形成され、屋根部と、扉のある側壁部と、床部と、腰掛け部と、中央柱と、からなるシェルター本体と、ソーラーパネルにより充電可能なバッテリーと、前記バッテリーで駆動される赤色灯及び室内灯と、前記中央柱に取り付けられる手摺りと、前記床部を貫通し、外側底部に開口する排出孔と、前記腰掛け部の下に配列され、飲料水の入った複数のペットボトルと、が備えられ、浮遊時、前記床部の発泡スチロールの浮力により、シェルター本体の沈み込みの深さが前記床部の厚さを超えず、室内に入った海水が自重により前記排出孔から外部に排出されることを特徴とする。
【０００６】
前記シェルター本体の外部に、空気洗浄機またはコンプレッサーが設けられ、前記排出孔の一端から、洗浄された空気または圧縮空気が室内に送り込まれることを特徴とする。
【０００７】
前記シェルター本体の周囲に、複数の浮き袋が設けられることを特徴とする。
【発明の効果】
【０００８】
本発明の災害時避難用シェルターによれば、
（１）床を貫通し、外部に開口する排出孔を設けたので、また床部の発泡スチロールの浮力により、沈み込み深さが床部の高さを超えないので、室内に入った海水が自重により排出孔から外部に排出できる。浸水してもすぐに海水が引ける。
（２）中央柱を設けたので、発泡スチロールの殻構造でありながら、特に上から外力に強い構造にできる。
（３）バッテリーで駆動される赤色灯を設けたので、夜間の津波で流されても、救助隊にシェルターの位置を知らせることができる。また、室内灯により、夜間の内部の照明を確保できる。
（４）手摺りを設けたので、シェルター本体が揺れても安定して着座できる。
（５）腰掛け部の下に、飲料水入りの複数のペットボトルを配列したので、錘をシェルター本体の底部に設けなくても済む。また、漂流時の飲料水にできる。
（６）通常時は、災害時の食料の保管庫として使用できる。
【０００９】
外部に空気洗浄機を設け、シェルター本体底部の給気口から室内に空気を送り込むようにしたので、室内の気圧を外部より高くでき、扉の隙間などから火山灰が室内に入り込まないようにできる。つまり、災害時避難用シェルターを火山灰対応ができる装置としても使用できる。外部にコンプレッサーを設けて、シェルター本体底部の給気口から室内に空気を送り込むようにしたので、シェルター本体を酸素カプセルとして使用できる。災害時避難用シェルターを通常状態で有効活用できる。
【００１０】
シェルター本体の周囲に複数の浮き袋を設けたので、浮遊時、避難者が室内を移動しても浮き袋の浮力によりシェルター本体が傾かないようにできる。
【図面の簡単な説明】
【００１１】
【図１】本発明による災害時避難用シェルターの正面図である。（実施例１）
【図２】本発明による災害時避難用シェルターの平面図である。（実施例１）
【図３】図２のＡ−Ａ断面図である。（実施例１）
【図４】災害時避難用シェルターの内部を示す図である。
【図５】浮遊状態の災害時避難用シェルターの断面図である。
【図６】基礎の上に設置された災害時避難用シェルターの例である。
【図７】空気清浄器またはコンプレッサーを接続する例である。
【発明を実施するための形態】
【００１２】
以下、図面を参照して、本発明による災害時避難用シェルターを説明する。
【実施例１】
【００１３】
図１は、本発明による災害時避難用シェルター１００の正面図である。災害時避難用シェルター１００は、シェルター本体１が発泡スチロールで形成される。正面視では、シェルター本体１の屋根部２と、扉１８のある側壁部３が見える。屋根部２には赤色灯７とソーラーパネル１３が設けられる。ソーラーパネル１３は、太陽光により発電し、内部に設けられたバッテリー２０を充電する。ソーラーパネル１３が機能しない雨の日のために、バッテリー充電用の給電プラグ１２が用意されている。家庭用電源に接続してバッテリー２０を充電できる。
【００１４】
図２は、本発明による災害時避難用シェルター１００の平面図である。屋根部２には、赤色灯７とソーラーパネル１３が設けられる。赤色灯７は、夜間に津波で流されても、救助隊にシェルターの位置を知らせることができる。扉１８は、正面と左側面の２箇所に設けた。これによれば、緊急の場合、複数の避難者がすみやかにシェルター本体１の内部（室内）に避難できる。扉１８はアクリル板で形成した。屋根部２や側壁部３は発泡スチロールであるから光を通さないが、扉１８をアクリル板としたので、日中、室内に外の光を取り入れることができる。本実施例では、災害時避難用シェルター１００の寸法は、一例として、直径が約２．３ｍ、高さが約１．９ｍとした。室内には５人を収容できる。
【００１５】
図３は、図２のＡ−Ａ断面図である。シェルター本体１は、屋根部２と、側壁部３と、床部４と、腰掛け部５と、中央柱６と、からなる。いずれも発泡スチロールで形成される。発泡スチロールは、密度４０倍のものを使用した。これによれば、避難者が側壁にぶつかっても柔らかさがあるので怪我をしない。発泡スチロールの外側は、紫外線硬化塗料を塗布し、フィルムシートで覆った。屋根部２と側壁部３の厚さは約１２ｃｍである。床部４は、厚さが約２０ｃｍで、床部４で浮力が得られるようにした。中央柱６は、直径が約３０ｃｍで、中心には赤色灯７への配線を行なうパイプ２２が取り付けられる。中央柱６には、床部４から７０〜８０ｃｍの高さの位置に、手摺り１４が円環状に掛け渡される。手でつかまることができるので、避難者は、災害時避難用シェルター１００が揺れても安定して着座できる。室内の天井には、バッテリー２０で駆動されるＬＥＤ（発光ダイオード）の室内灯８が設けられる。
【００１６】
扉１８は、この寸法に限らないが、高さが約７５ｃｍ、横が６５ｃｍで、腰掛け部５の高さにある。側壁部３の屋根部２に近い位置には、換気孔１６が設けられる。一方、床部４には、複数の排出孔９が設けられ、床部４を貫通して外側底部に開口している。排出孔９は、一端が室内側に開口し、他端が凹部である凹部１１を通って外部に開口している。床部４には、トイレ用の排出口１０も設けた。
【００１７】
図４は、災害時避難用シェルター１００の内部を示す図である。シェルター本体１の室内には、５人が避難できる。腰掛け部５の下には、飲料水の入った２リットルのペットボトル１５を６０本ほど格納できる。ペットボトル１５をバラスト水の代わりにした。トイレは、おむつや尿瓶で対応できるが、長時間の漂流となった場合に備えて、床部５に排出口１０を設けた。排出口１０にはカーテン２６が設けられる。中央柱６には円環状に手摺り１４が設けられる。床部５には、室内に浸入した海水を外部に排出するため、排出孔９が４個設けられている。扉１８などが破損して室内に海水が浸入しても、海水は、排出孔９（または排出口１０）から外側底部に流れ出る。非常食２５も用意できる。バッテリー２０が備えられるので、室内灯８や赤色灯７を点灯できる。携帯電話の充電プラグも用意されることが好ましい。救命胴衣や、酸素ボンベなども備えておくと役に立つ。災害時避難用シェルター１００の周囲には複数の浮袋２４を設置した。これによれば、室内で避難者が移動して、重心が偏っても災害時避難用シェルター１００が傾くことを防止できる。浮袋２４は、この実施例では、前後左右の４箇所としたが、周囲３箇所に設けるとしてもよい。
【００１８】
図５は、浮遊状態の災害時避難用シェルター１００の断面図である。床部４は、厚さ（ｔ）が約２０ｃｍで、床部４で浮力が得られるようにした。すなわち２０ｃｍを越えて沈み込まないようにした。その計算は次のとおりである。
（ａ）床部４の体積は、円筒体の体積Ａから排出口１０の体積Ｂを引いたもので、約０．８２（ｍ３）と算出できる。円筒体の体積Ａは、１．１５（ｍ）×１．１５（ｍ）×３．１４×０．２（ｍ）から約０．８３（ｍ３）となり、排出口１０の体積Ｂは、約０．０１（ｍ３）となるので、０．８２（ｍ３）を得る。
（ｂ）よって、床部４がすべて沈む場合は、８２０ｋｇ（＝０．８２（ｍ３）×１０００ｋｇ）の浮力がある。床部４の体積と等しい水の重量を浮力とした。
（ｃ）これに対して、避難者は５人×７０ｋｇで約３５０ｋｇ、２リットルのペットボトルが６０本で約１２０ｋｇ、シェルター本体の重量は、詳しい計算は省略するが、体積約３．２（ｍ３）に比重０．０２５（４０倍の発泡スチロールを使用）を掛けたもので、約８０ｋｇと算出される。よって総重量は、約５５０ｋｇ（＝３５０ｋｇ＋１２０ｋｇ＋８０ｋｇ）である。
（ｄ）５５０ｋｇは、８２０ｋｇの６７％であるから、床部４は、２０ｃｍ全部は沈まず、約１３ｃｍ沈む。このように、災害時避難用シェルター１００は、床部４の浮力により、床部を超えるほど沈まないので、室内に入った海水２７は、自重により排出孔（又は排出口）から外部に排出される。
【００１９】
図６は、基礎１７の上に設置された災害時避難用シェルターの例である。基礎１７の中央に凸部２１が設けられ、凹部１１に嵌め込んでいる。これにより、通常時、災害時避難用シェルター１００が横滑りすることはなく、周囲が海水で満たされるなら、災害時避難用シェルター１００が浮上できる。
【００２０】
図７は、空気清浄器２３またはコンプレッサー１９を接続する例である。空気清浄器２３またはコンプレッサー１９からの配管に設けられた給気口２９が、凹部１１に接続される。この場合、シェルター本体１の底部に配管を行なう都合上、災害時避難用シェルター１００は、架台２８の上に設置されることが望ましい。（１）空気洗浄機２３を設け、シェルター本体１の底部の凹部１１から室内に空気を送り込む場合、シェルター本体１の内部の気圧を外部より高くできる。そのため、扉１８の隙間等から火山灰が室内に入り込まないようにできる。
（２）コンプレッサー１９を設け、シェルター本体１の底部の凹部口１１から室内に空気を送り込む場合、室内の気圧を約１．２気圧程度に高めることができる。すなわちコンプレッサーの吐出口に設けられた減圧弁を約１．２気圧に設定する。なお、シェルター本体１の排出口１０や換気口１６は、漏れがないようシールされるものとする。これによれば、災害時避難用シェルター１００を酸素カプセルとして活用できる。
【産業上の利用可能性】
【００２１】
本発明は、災害時避難用シェルターとして好適である。
【符号の説明】
【００２２】
１    シェルター本体
２    屋根部
３    側壁部
４    床部
５    腰掛け部
６    中央柱
７    赤色灯
８    室内灯
９    排水孔
１０    排出口
１１    凹部
１２    給電プラグ
１３    ソーラーパネル
１４    手摺り
１５    ペットボトル
１６    換気口
１７    基礎
１８    扉
１９    コンプレッサー
２０    バッテリー
２１    凸部
２２    パイプ
２３    空気洗浄機
２４    浮き袋
２５    非常食
２６    カーテン
２７    海水
２８    架台
２９    給気口
１００    災害時波避難用シェルター
【図１】
2018111327.tif 000003
【図２】
2018111327.tif 000004
【図３】
2018111327.tif 000005
【図４】
2018111327.tif 000006
【図５】
2018111327.tif 000007
【図６】
2018111327.tif 000008
【図７】
2018111327.tif 000009
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
発泡スチロールで形成され、屋根部と、扉のある側壁部と、床部と、腰掛け部と、中央柱と、からなるシェルター本体と、
ソーラーパネルにより充電可能なバッテリーと、
前記バッテリーで駆動される赤色灯及び室内灯と、
前記中央柱に取り付けられる手摺りと、
前記床部を貫通し、外側底部に開口する排出孔と、
前記腰掛け部の下に配列され、飲料水の入った複数のペットボトルと、
が備えられ、
浮遊時、前記床部の発泡スチロールの浮力により、シェルター本体の沈み込みの深さが前記床部の厚さを超えず、室内に入った海水が、自重により前記排出孔から外部に排出され、
通常時は、前記シェルター本体の外部に、空気洗浄機またはコンプレッサーが設けられ、前記排出孔の一端から、洗浄された空気または圧縮空気が室内に送り込まれることを特徴とする災害時避難用シェルター。
【請求項２】
前記シェルター本体の周囲に、複数の浮き袋が設けられることを特徴とする請求項１に記載の災害時避難用シェルター。
【手続補正２】
【補正対象書類名】明細書
【補正対象項目名】０００５
【補正方法】変更
【補正の内容】
【０００５】
本発明による災害時避難用シェルターは、発泡スチロールで形成され、屋根部と、扉のある側壁部と、床部と、腰掛け部と、中央柱と、からなるシェルター本体と、ソーラーパネルにより充電可能なバッテリーと、前記バッテリーで駆動される赤色灯及び室内灯と、前記中央柱に取り付けられる手摺りと、前記床部を貫通し、外側底部に開口する排出孔と、前記腰掛け部の下に配列され、飲料水の入った複数のペットボトルと、が備えられ、浮遊時、前記床部の発泡スチロールの浮力により、シェルター本体の沈み込みの深さが前記床部の厚さを超えず、室内に入った海水が、自重により前記排出孔から外部に排出され、通常時は、前記シェルター本体の外部に、空気洗浄機またはコンプレッサーが設けられ、前記排出孔の一端から、洗浄された空気または圧縮空気が室内に送り込まれることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００１
【補正方法】変更
【補正の内容】
【０００１】
本発明は、災害時避難用シェルターに係り、より詳しくは、床部を貫通して外部に開口する排出孔を備えた浮遊型の災害時避難用シェルターに関する。
【手続補正５】
【補正対象書類名】明細書
【補正対象項目名】００２２
【補正方法】変更
【補正の内容】
【００２２】
１    シェルター本体
２    屋根部
３    側壁部
４    床部
５    腰掛け部
６    中央柱
７    赤色灯
８    室内灯
９    排出孔
１０    排出口
１１    凹部
１２    給電プラグ
１３    ソーラーパネル
１４    手摺り
１５    ペットボトル
１６    換気口
１７    基礎
１８    扉
１９    コンプレッサー
２０    バッテリー
２１    凸部
２２    パイプ
２３    空気洗浄機
２４    浮き袋
２５    非常食
２６    カーテン
２７    海水
２８    架台
２９    給気口
１００    災害時波避難用シェルター